(57)【特許請求の範囲】
【請求項１】
肯定応答／否定応答を送信するための方法であって、
セル固有サイクリックシフトを生成することと、
前記肯定応答／否定応答を変調して得られた変調シンボルに、離散フーリエ変換、セル固有シンボルレベル位相ホッピング、およびセル固有シンボルレベルサイクリックシフトホッピングを適用することと、ここにおいて、前記セル固有シンボルレベル位相ホッピングおよび前記セル固有シンボルレベルサイクリックシフトホッピングは、前記セル固有サイクリックシフトに少なくとも部分的に基づく、
前記離散フーリエ変換、セル固有シンボルレベル位相ホッピング、およびセル固有シンボルレベルサイクリックシフトホッピングを適用した前記変調シンボルを含むシングルキャリア周波数分割多重化データシンボルをスロット中で送信することと
を備える、方法。
【請求項２】
前記セル固有シンボルレベル位相ホッピングは、離散フーリエ変換の後にシングルキャリア周波数分割多重化データシンボルに適用される、請求項１に記載の方法。
【請求項３】
データシンボルｍのサブキャリアｋに適用される有効直交カバーコードは、  
【数１】
0005976671.tif 000036
であり、
ｍは、データシンボルインデックスであり、ｌは、ＯＦＤＭシンボルインデックスであり、ｎsは、スロットインデックスである、請求項１に記載の方法。
【請求項４】
Ｑは整数かつ位相の数である、請求項３に記載の方法。
【請求項５】
前記セル固有シンボルレベル位相ホッピングは、セルＩＤの関数である、請求項１に記載の方法。
【請求項６】
前記シングルキャリア周波数分割多重化データシンボルは、物理アップリンク制御チャネルフォーマット３を使用してスロット中で送信される、請求項１に記載の方法。
【請求項７】
肯定応答／否定応答を送信するように構成されたワイヤレスデバイスであって、
プロセッサと、
前記プロセッサと電子通信しているメモリと、
前記メモリに記憶された命令と
を備え、前記命令は、
セル固有サイクリックシフトを生成することと、
前記肯定応答／否定応答を変調して得られた変調シンボルに離散フーリエ変換、セル固有シンボルレベル位相ホッピング、およびセル固有シンボルレベルサイクリックシフトホッピングを適用することと、ここにおいて、前記セル固有シンボルレベル位相ホッピングおよび前記セル固有シンボルレベルサイクリックシフトホッピングは、前記セル固有サイクリックシフトに少なくとも部分的に基づく、
前記離散フーリエ変換、セル固有シンボルレベル位相ホッピング、およびセル固有シンボルレベルサイクリックシフトホッピングを適用した前記変調シンボルを含むシングルキャリア周波数分割多重化データシンボルをスロット中で送信することと
を行うために前記プロセッサによって実行可能である、ワイヤレスデバイス。
【請求項８】
前記セル固有シンボルレベル位相ホッピングが、離散フーリエ変換の後にシングルキャリア周波数分割多重化データシンボルに適用される、請求項７に記載のワイヤレスデバイス。
【請求項９】
データシンボルｍのサブキャリアｋに適用される有効直交カバーコードは  
【数２】
0005976671.tif 000037
であり、
ｍは、データシンボルインデックスであり、ｌは、ＯＦＤＭシンボルインデックスであり、ｎsは、スロットインデックスであり、前記ｍとｌは、インデックスが同じ変調シンボルから付される、請求項７に記載のワイヤレスデバイス。
【請求項１０】
Ｑは整数かつ位相の数である、請求項９に記載のワイヤレスデバイス。
【請求項１１】
前記セル固有シンボルレベル位相ホッピングは、セルＩＤの関数である、請求項７に記載のワイヤレスデバイス。
【請求項１２】
前記シングルキャリア周波数分割多重化データシンボルは、物理アップリンク制御チャネルフォーマット３を使用してスロット中で送信される、請求項７に記載のワイヤレスデバイス。
【請求項１３】
ユーザ機器から肯定応答／否定応答を受信するための方法であって、
セル固有シンボルレベル位相ホッピングおよびセル固有シンボルレベルサイクリックシフトホッピングが適用され、物理アップリンク制御チャネルフォーマット３で送信された、肯定応答／否定応答の変調シンボルを含むシングルキャリア周波数分割多重化データシンボルを前記ユーザ機器から受信することと、ここにおいて、前記セル固有シンボルレベル位相ホッピングおよびセル固有シンボルレベルサイクリックシフトホッピングは、セル固有サイクリックシフトに少なくとも部分的に基づく、
各シングルキャリア周波数分割多重化シンボルに含まれる前記変調シンボルに対して、適用されたセル固有シンボルレベル位相ホッピングおよびセル固有シンボルレベルサイクリックシフトホッピングに従って、対応する逆拡散を実行することと、
逆拡散された前記変調シンボルから前記肯定応答／否定応答を復号することと
を備える、方法。
【請求項１４】
前記方法は、基地局によって実行される、請求項１３に記載の方法。
【請求項１５】
データシンボルｍのサブキャリアｋに適用される有効直交カバーコードは、  
【数３】
0005976671.tif 000038
であり、
ｍは、データシンボルインデックスであり、ｌは、ＯＦＤＭシンボルインデックスであり、ｎsは、スロットインデックスであり、前記ｍとｌは、インデックスが同じ変調シンボルから付される、請求項１３に記載の方法。
【請求項１６】
肯定応答／否定応答を受信するように構成されたワイヤレスデバイスであって、
プロセッサと、
前記プロセッサと電子通信しているメモリと、
前記メモリに記憶された命令と
を備え、前記命令は、
セル固有シンボルレベル位相ホッピングおよびセル固有シンボルレベルサイクリックシフトホッピングが適用され、物理アップリンク制御チャネルフォーマット３で送信された、肯定応答／否定応答の変調シンボルを含むシングルキャリア周波数分割多重化データシンボルをユーザ機器から受信することと、ここにおいて、前記セル固有シンボルレベル位相ホッピングおよびセル固有シンボルレベルサイクリックシフトホッピングは、セル固有サイクリックシフトに少なくとも部分的に基づく、
各シングルキャリア周波数分割多重化シンボルに含まれる前記変調シンボルに対して、適用されたセル固有シンボルレベル位相ホッピングおよびセル固有シンボルレベルサイクリックシフトホッピングに従って、対応する逆拡散を行うことと、
逆拡散された前記変調シンボルから前記肯定応答／否定応答を復号することと
を行うために前記プロセッサによって実行可能である、ワイヤレスデバイス。
【請求項１７】
前記ワイヤレスデバイスは、基地局である、請求項１６に記載のワイヤレスデバイス。
【請求項１８】
データシンボルｍのサブキャリアｋに適用される有効直交カバーコードは、  
【数４】
0005976671.tif 000039
であり、
ｍは、データシンボルインデックスであり、ｌは、ＯＦＤＭシンボルインデックスであり、ｎsは、スロットインデックスであり、前記ｍとｌは、インデックスが同じ変調シンボルから付される、請求項１６に記載のワイヤレスデバイス。
【請求項１９】
肯定応答／否定応答を送信するように構成されたワイヤレスデバイスであって、
セル固有サイクリックシフトを生成するための手段と、
前記肯定応答／否定応答を変調して得られた変調シンボルに離散フーリエ変換、セル固有シンボルレベル位相ホッピング、およびセル固有シンボルレベルサイクリックシフトホッピングを適用するための手段と、ここにおいて、前記セル固有シンボルレベル位相ホッピングおよび前記セル固有シンボルレベルサイクリックシフトホッピングは、前記セル固有サイクリックシフトに少なくとも部分的に基づく、
前記離散フーリエ変換、セル固有シンボルレベル位相ホッピング、およびセル固有シンボルレベルサイクリックシフトホッピングを適用した前記変調シンボルを含むシングルキャリア周波数分割多重化データシンボルをスロット中で送信するための手段と
を備える、ワイヤレスデバイス。
【請求項２０】
肯定応答／否定応答を送信するためのコンピュータプログラムであって、前記コンピュータプログラムは、
セル固有サイクリックシフトを生成することをユーザ機器に行わせるためのコードと、
前記肯定応答／否定応答を変調して得られた変調シンボルに離散フーリエ変換、セル固有シンボルレベル位相ホッピング、およびセル固有シンボルレベルサイクリックシフトホッピングを適用することをユーザ機器に行わせるためのコードと、ここにおいて、前記セル固有シンボルレベル位相ホッピングおよび前記セル固有シンボルレベルサイクリックシフトホッピングは、前記セル固有サイクリックシフトに少なくとも部分的に基づく、
前記離散フーリエ変換、セル固有シンボルレベル位相ホッピング、およびセル固有シンボルレベルサイクリックシフトホッピングを適用した前記変調シンボルを含むシングルキャリア周波数分割多重化データシンボルをスロット中で送信することを前記ユーザ機器に行わせるためのコードと
を備える、コンピュータプログラム。
【請求項２１】
ユーザ機器から肯定応答／否定応答を受信するように構成されたワイヤレスデバイスであって、
セル固有シンボルレベル位相ホッピングおよびセル固有シンボルレベルサイクリックシフトホッピングが適用され、物理アップリンク制御チャネルフォーマット３で送信された、肯定応答／否定応答の変調シンボルを含むシングルキャリア周波数分割多重化データシンボルを前記ユーザ機器から受信するための手段と、ここにおいて、前記セル固有シンボルレベル位相ホッピングおよびセル固有シンボルレベルサイクリックシフトホッピングは、セル固有サイクリックシフトに少なくとも部分的に基づく、
各シングルキャリア周波数分割多重化シンボルに含まれる前記変調シンボルに対して、適用されたセル固有シンボルレベル位相ホッピングおよびセル固有シンボルレベルサイクリックシフトホッピングに従って、対応する逆拡散を実行するための手段と、
逆拡散された前記変調シンボルから前記肯定応答／否定応答を復号するための手段と
を備える、ワイヤレスデバイス。
【請求項２２】
ユーザ機器から肯定応答／否定応答を受信するためのコンピュータプログラムであって、前記コンピュータプログラムは、
セル固有シンボルレベル位相ホッピングおよびセル固有シンボルレベルサイクリックシフトホッピングが適用され、物理アップリンク制御チャネルフォーマット３で送信された、肯定応答／否定応答の変調シンボルを含むシングルキャリア周波数分割多重化データシンボルを前記ユーザ機器から受信することを基地局に行わせるためのコードと、ここにおいて、前記セル固有シンボルレベル位相ホッピングおよびセル固有シンボルレベルサイクリックシフトホッピングは、セル固有サイクリックシフトに少なくとも部分的に基づく、
各シングルキャリア周波数分割多重化シンボルに含まれる前記変調シンボルに対して、適用されたセル固有シンボルレベル位相ホッピングおよびセル固有シンボルレベルサイクリックシフトホッピングに従って、対応する逆拡散を実行することを前記基地局に行わせるためのコードと、
逆拡散された前記変調シンボルから前記肯定応答／否定応答を復号することを前記基地局に行わせるためのコードと
を備える、コンピュータプログラム。
【請求項２３】
前記セル固有サイクリックシフトは、シンボルインデックス１およびスロットインデックスｎｓに少なくとも部分的に基づいて生成され、それは、  
【数５】
0005976671.tif 000040
で与えられる、請求項１に記載の方法。
【請求項２４】
前記セル固有シンボルレベル位相ホッピングは、  
【数６】
0005976671.tif 000041
に基づいて生成され、Ｇは整数である、請求項２３に記載の方法。
【請求項２５】
前記セル固有シンボルレベルサイクリックシフトホッピングは、  
【数７】
0005976671.tif 000042
で与えられる、請求項２３に記載の方法。
【請求項２６】
前記セル固有シンボルレベル位相ホッピングについてのθシーケンスを生成することと、
データシンボルｍのサブキャリアｋに適用される有効直交カバーコードの一部として、前記θシーケンスを適用することと
をさらに備える、請求項１に記載の方法。
【請求項２７】
前記セル固有サイクリックシフトは、シンボルインデックス１およびスロットインデックスｎｓに少なくとも部分的に基づいて生成され、それは、  
【数８】
0005976671.tif 000043
によって与えられる、請求項７に記載のワイヤレスデバイス。
【請求項２８】
前記セル固有シンボルレベル位相ホッピングは、  
【数９】
0005976671.tif 000044
に基づいて生成され、Ｇは整数である、請求項２７に記載のワイヤレスデバイス。
【請求項２９】
前記セル固有シンボルレベルサイクリックシフトホッピングは、  
【数１０】
0005976671.tif 000045
で与えられる、請求項２７に記載のワイヤレスデバイス。
【請求項３０】
前記メモリに記憶された命令は、
前記セル固有シンボルレベル位相ホッピングについてのθシーケンスを生成することと、
データシンボルｍのサブキャリアｋに適用される有効直交カバーコードの一部として、前記θシーケンスを適用することと
を、前記プロセッサによってさらに実行可能である、請求項７に記載のワイヤレスデバイス。
【発明の詳細な説明】
【関連出願】
【０００１】
本出願は、その全体が参照により本明細書に組み込まれる、２０１０年１２月２３日に出願された「PUCCH FORMAT 3 INTERFERENCE RANDOMIZATION」と題する米国仮特許出願第６１／４２６，６３１号に関し、その優先権を主張する。
【技術分野】
【０００２】
本開示は、一般にワイヤレス通信システムに関する。より詳細には、本開示は、アップリンクシグナリングのための干渉ランダム化のためのシステムおよび方法に関する。
【背景技術】
【０００３】
ワイヤレス通信システムは、ボイス、ビデオ、データなど、様々なタイプの通信コンテンツを提供するために広く展開されている。これらのシステムは、１つまたは複数の基地局との複数の端末の同時通信をサポートすることが可能な多元接続システムであり得る。
【０００４】
各基地局と通信している端末の数が増加するにつれて、干渉の可能性も高まる。干渉の可能性を低減するために信号処理技法が実装され得る。１つのそのような信号処理技法は、干渉ランダム化の使用であり得る。干渉ランダム化では、サブキャリアに適用される直交カバーコードが、各サブキャリア間の干渉の可能性を低減するように調整され得る。Ｌｏｎｇ  Ｔｅｒｍ  Ｅｖｏｌｕｔｉｏｎ（ＬＴＥ）では、複数の肯定応答／否定応答がアップリンクチャネル上で基地局に送られ得る。これらの複数の肯定応答／否定応答は、異なるユーザを多重化するために１つのスロット内で送られ得る。干渉を低減するために、従来、セル固有（cell-specific）シンボルレベルサイクリックシフトホッピングが使用されている。ただし、セル固有シンボルレベルサイクリックシフトホッピングのみでは、十分なレベルまで干渉を低減し得ない。したがって、干渉が低減されたアップリンクシグナリングを生成および受信するための改善された方法によって利益が実現され得る。
【発明の概要】
【０００５】
肯定応答／否定応答を送信するための方法について説明する。肯定応答／否定応答のデータシングルキャリア周波数分割多重化シンボルにセル固有シンボルレベルサイクリックシフトホッピングを適用する。データシングルキャリア周波数分割多重化シンボルに離散フーリエ変換を適用する。肯定応答／否定応答のデータシングルキャリア周波数分割多重化シンボルにセル固有シンボルレベル位相ホッピングを適用する。データシングルキャリア周波数分割多重化シンボルをスロット中で送信する。
【０００６】
セル固有シンボルレベル位相ホッピングを適用することは、サイクリックシフトホッピングシーケンスを取得することと、擬似雑音シーケンスの異なる初期化を用いてθシーケンスを生成することと、θシーケンスを直交カバーコードの一部として各データシングルキャリア周波数分割多重化シンボルに適用することとを含み得る。セル固有シンボルレベル位相ホッピングを適用することは、代わりに、サイクリックシフトホッピングシーケンスを取得することと、サイクリックシフトホッピングシーケンスからθシーケンスを生成することと、θシーケンスを直交カバーコードの一部として各データシングルキャリア周波数分割多重化シンボルに適用することとを含み得る。
【０００７】
サイクリックシフトホッピングシーケンスは  
【数１】
0005976671.tif 000002
【０００８】
であり得る。θシーケンスは、  
【数２】
0005976671.tif 000003
【０００９】
として生成され得、δ1およびδ2は整数である。θシーケンスはまた、  
【数３】
0005976671.tif 000004
【００１０】
として生成され得、Ｇは整数である。θシーケンスは、サイクリックシフトホッピングシーケンスの方形スキーム、線形スキーム、遅延スキームおよび分割スキームのうちの少なくとも２つの組合せを使用して生成され得る。
【００１１】
セル固有シンボルレベル位相ホッピングは、離散フーリエ変換の前にデータシングルキャリア周波数分割多重化シンボルに適用され得る。セル固有シンボルレベル位相ホッピングはまた、離散フーリエ変換の後にデータシングルキャリア周波数分割多重化シンボルに適用され得る。サブキャリアに適用される有効直交カバーコードは
【数４】
0005976671.tif 000005
【００１２】
であり得る。Ｑは２、４または１２に等しく設定され得る。
【００１３】
セル固有シンボルレベル位相ホッピングはセルＩＤの関数であり得る。セル固有シンボルレベル位相ホッピングは、干渉物の信号のコヒーレント合成の可能性を低減し得る。データシングルキャリア周波数分割多重化シンボルは、物理アップリンク制御チャネルフォーマット３を使用してスロット中で送信され得る。
【００１４】
また、肯定応答／否定応答を送信するように構成されたワイヤレスデバイスについて説明する。本ワイヤレスデバイスは、プロセッサと、プロセッサと電子通信しているメモリと、メモリに記憶された命令とを含む。命令は、肯定応答／否定応答のデータシングルキャリア周波数分割多重化シンボルにセル固有シンボルレベルサイクリックシフトホッピングを適用するためにプロセッサによって実行可能である。命令はまた、データシングルキャリア周波数分割多重化シンボルに離散フーリエ変換を適用するためにプロセッサによって実行可能である。命令はさらに、肯定応答／否定応答のデータシングルキャリア周波数分割多重化シンボルにセル固有シンボルレベル位相ホッピングを適用するためにプロセッサによって実行可能である。命令はまた、データシングルキャリア周波数分割多重化シンボルをスロット中で送信するためにプロセッサによって実行可能である。
【００１５】
ユーザ機器から肯定応答／否定応答を受信するための方法について説明する。ユーザ機器から、セル固有シンボルレベル位相ホッピングを用いた物理アップリンク制御チャネルフォーマット３である肯定応答／否定応答を受信する。各シングルキャリア周波数分割多重化シンボルに対して、適用されたホッピング位相に従って、対応する逆拡散を適用する。肯定応答／否定応答を復号する。
【００１６】
また、肯定応答／否定応答を受信するように構成されたワイヤレスデバイスについて説明する。本ワイヤレスデバイスは、プロセッサと、プロセッサと電子通信しているメモリと、メモリに記憶された命令とを含む。命令は、ユーザ機器から、セル固有シンボルレベル位相ホッピングを用いた物理アップリンク制御チャネルフォーマット３である肯定応答／否定応答を受信するためにプロセッサによって実行可能である。命令はまた、各シングルキャリア周波数分割多重化シンボルに対して、適用されたホッピング位相に従って、対応する逆拡散を実行するためにプロセッサによって実行可能である。命令はさらに、肯定応答／否定応答を復号するためにプロセッサによって実行可能である。
【００１７】
肯定応答／否定応答を送信するように構成されたワイヤレスデバイスについて説明する。本ワイヤレスデバイスは、肯定応答／否定応答のデータシングルキャリア周波数分割多重化シンボルにセル固有シンボルレベルサイクリックシフトホッピングを適用するための手段を含む。本ワイヤレスデバイスはまた、データシングルキャリア周波数分割多重化シンボルに離散フーリエ変換を適用するための手段を含む。本ワイヤレスデバイスはさらに、肯定応答／否定応答のデータシングルキャリア周波数分割多重化シンボルにセル固有シンボルレベル位相ホッピングを適用するための手段を含む。本ワイヤレスデバイスはまた、データシングルキャリア周波数分割多重化シンボルをスロット中で送信するための手段を含む。
【００１８】
また、肯定応答／否定応答を送信するためのコンピュータプログラム製品について説明する。本コンピュータプログラム製品は、命令をその上に有する非一時的コンピュータ可読媒体を含む。命令は、肯定応答／否定応答のデータシングルキャリア周波数分割多重化シンボルにセル固有シンボルレベルサイクリックシフトホッピングを適用することをユーザ機器に行わせるためのコードを含む。命令はまた、データシングルキャリア周波数分割多重化シンボルに離散フーリエ変換を適用することをユーザ機器に行わせるためのコードを含む。命令はさらに、肯定応答／否定応答のデータシングルキャリア周波数分割多重化シンボルにセル固有シンボルレベル位相ホッピングを適用することをユーザ機器に行わせるためのコードを含む。命令はまた、データシングルキャリア周波数分割多重化シンボルをスロット中で送信することをユーザ機器に行わせるためのコードを含む。
【００１９】
ユーザ機器から肯定応答／否定応答を受信するように構成されたワイヤレスデバイスについて説明する。本ワイヤレスデバイスは、ユーザ機器から、セル固有シンボルレベル位相ホッピングを用いた物理アップリンク制御チャネルフォーマット３である肯定応答／否定応答を受信するための手段を含む。本ワイヤレスデバイスはまた、各シングルキャリア周波数分割多重化シンボルに対して、適用されたホッピング位相に従って、対応する逆拡散を実行するための手段を含む。本ワイヤレスデバイスはさらに、肯定応答／否定応答を復号するための手段を含む。
【００２０】
また、ユーザ機器から肯定応答／否定応答を受信するためのコンピュータプログラム製品について説明する。本コンピュータプログラム製品は、命令をその上に有する非一時的コンピュータ可読媒体を含む。命令は、ユーザ機器から、セル固有シンボルレベル位相ホッピングを用いた物理アップリンク制御チャネルフォーマット３である肯定応答／否定応答を受信することを基地局に行わせるためのコードを含む。命令はまた、各シングルキャリア周波数分割多重化シンボルに対して、適用されたホッピング位相に従って、対応する逆拡散を実行することを基地局に行わせるためのコードを含む。命令はさらに、肯定応答／否定応答を復号することを基地局に行わせるためのコードを含む。
【図面の簡単な説明】
【００２１】
【図１】複数のワイヤレスデバイスをもつワイヤレス通信システムを示す図。
【図２】ＡＣＫ／ＮＡＣＫを送信するための方法のフローチャート。
【図３】セル固有シンボルレベル位相ホッピングを適用するための方法のフローチャート。
【図４】ＡＣＫ／ＮＡＣＫを復号するための方法のフローチャート。
【図５】２つのスロット中の物理アップリンク制御チャネル（ＰＵＣＣＨ）フォーマット３を示すブロック図。
【図６】セル固有シンボルレベルサイクリックシフトホッピングを用いたスロットを示すブロック図。
【図７】シンボルレベルサイクリックシフトホッピングを示すブロック図。
【図８】セル固有シンボルレベル位相ホッピングを用いたスロットを示すブロック図。
【図９】ユーザ機器（ＵＥ）内に含まれ得るいくつかの構成要素を示す図。
【図１０】基地局内に含まれ得るいくつかの構成要素を示す図。
【発明を実施するための形態】
【００２２】
第３世代パートナーシッププロジェクト（３ＧＰＰ：3rd Generation Partnership Project）は、グローバルに適用可能な第３世代（３Ｇ）モバイルフォン仕様を定義することを目的とする電気通信協会のグループ間のコラボレーションである。３ＧＰＰ  ロングタームエボリューション（ＬＴＥ：Long Term Evolution）は、ユニバーサルモバイルテレコミュニケーションシステム（ＵＭＴＳ：Universal Mobile Telecommunications System）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ機器」（ＵＥ）と呼ばれることがある。
【００２３】
図１に、複数のワイヤレスデバイスをもつワイヤレス通信システム１００を示す。ワイヤレス通信システム１００は、ボイス、データなど、様々なタイプの通信コンテンツを提供するために広く展開されている。ワイヤレスデバイスは、基地局１０２またはユーザ機器（ＵＥ）１０４であり得る。
【００２４】
基地局１０２は、１つまたは複数のユーザ機器（ＵＥ）１０４と通信する局である。基地局１０２は、アクセスポイント、ブロードキャスト送信機、ノードＢ、発展型ノードＢなどと呼ばれることもあり、それらの機能の一部または全部を含み得る。本明細書では、「基地局」という用語を使用する。各基地局１０２は、特定の地理的エリアに通信カバレージを与える。基地局１０２は、１つまたは複数のユーザ機器（ＵＥ）１０４に通信カバレージを与え得る。「セル」という用語は、この用語が使用されるコンテキストに応じて基地局１０２および／またはそれのカバレージエリアを指すことができる。
【００２５】
ワイヤレス通信システム１００（たとえば、多元接続システム）における通信は、ワイヤレスリンクを介した送信によって達成され得る。そのような通信リンクは、単入力単出力（ＳＩＳＯ）、多入力単出力（ＭＩＳＯ）または多入力多出力（ＭＩＭＯ）システムを介して確立され得る。ＭＩＭＯシステムは、それぞれ、データ送信のための複数（ＮＴ）個の送信アンテナと複数（ＮＲ）個の受信アンテナとを装備した、（１つまたは複数の）送信機と（１つまたは複数の）受信機とを含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００２６】
ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、アップリンク１０６送信とダウンリンク１０８送信とが同じ周波数領域上で行われるので、相反定理（reciprocity principle）によりアップリンク１０６チャネルからのダウンリンク１０８チャネルの推定が可能である。これにより、送信ワイヤレスデバイスは、その送信ワイヤレスデバイスが受信した通信から送信ビームフォーミング利得を抽出することが可能になる。
【００２７】
ワイヤレス通信システム１００は、利用可能なシステムリソース（たとえば、帯域幅および送信電力）を共有することによって複数のユーザ機器（ＵＥ）１０４との通信をサポートすることが可能な多元接続システムであり得る。そのような多元接続システムの例としては、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ：3rd Generation Partnership Project）ロングタームエボリューション（ＬＴＥ：Long Term Evolution）システムおよび空間分割多元接続（ＳＤＭＡ）システムがある。
【００２８】
「ネットワーク」および「システム」という用語は、しばしば互換的に使用される。ＣＤＭＡネットワークは、ユニバーサルテレストリアルラジオアクセス（ＵＴＲＡ：Universal Terrestrial Radio Access）、ｃｄｍａ２０００などの無線技術を実装し得る。ＵＴＲＡは、Ｗ−ＣＤＭＡおよび低チップレート（ＬＣＲ）を含み、ｃｄｍａ２０００は、ＩＳ−２０００、ＩＳ−９５およびＩＳ−８５６規格をカバーする。ＴＤＭＡネットワークは、グローバルシステムフォーモバイルコミュニケーション（ＧＳＭ（登録商標）：Global System for Mobile Communications）などの無線技術を実装し得る。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡおよびＧＳＭは、ユニバーサルモバイルテレコミュニケーションシステム（ＵＭＴＳ：Universal Mobile Telecommunication System）の一部である。ロングタームエボリューション（ＬＴＥ：Long Term Evolution）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）と称する団体からの文書に記載されている。ｃｄｍａ２０００は、「３第３世代パートナーシッププロジェクト２」（３ＧＰＰ２：3rd Generation Partnership Project 2）と称する団体からの文書に記載されている。明快のために、本技法のいくつかの態様について以下ではＬＴＥに関して説明し、以下の説明の大部分でＬＴＥ用語を使用する。
【００２９】
基地局１０２は、１つまたは複数のユーザ機器（ＵＥ）１０４と通信し得る。ユーザ機器（ＵＥ）１０４は、端末、アクセス端末、ワイヤレス通信デバイス、加入者ユニット、局などと呼ばれることもあり、それらの機能の一部または全部を含み得る。ユーザ機器（ＵＥ）１０４は、セルラー電話、携帯情報端末（ＰＤＡ）、ワイヤレスデバイス、ワイヤレスモデム、ハンドヘルドデバイス、ラップトップコンピュータなどであり得る。
【００３０】
ユーザ機器（ＵＥ）１０４は、所与の瞬間において、ダウンリンク１０８および／またはアップリンク１０６上の０、１つまたは複数の基地局１０２と通信し得る。ダウンリンク１０８（または順方向リンク）は、基地局１０２からユーザ機器（ＵＥ）１０４への通信リンクを指し、アップリンク１０６（または逆方向リンク）は、ユーザ機器（ＵＥ）１０４から基地局１０２への通信リンクを指す。
【００３１】
ＬＴＥ  Ｒｅｌ−１０では、複数の肯定応答／否定応答（ＡＣＫ／ＮＡＣＫ）フィードバックのための物理アップリンク制御チャネル（ＰＵＣＣＨ）フォーマット３が導入されている。物理アップリンク制御チャネル（ＰＵＣＣＨ）フォーマット３は、異なるユーザを多重化するために１つのスロット内のデータ（パイロット）シングルキャリア周波数分割多重化（ＳＣ−ＦＤＭ）シンボル上の異なる直交カバーコード（ＯＣＣ）１１２に依拠する。シングルアンテナ送信の場合、１つのユーザ機器（ＵＥ）１０４は、１つの直交カバーコード（ＯＣＣ）１１２リソースを占有する必要がある。物理アップリンク制御チャネル（ＰＵＣＣＨ）フォーマット３では、ユーザ機器（ＵＥ）１０４は、各シングルキャリア周波数分割多重化（ＳＣ−ＦＤＭ）シンボル中で離散フーリエ変換（ＤＦＴ）拡散直交周波数分割多重化（ＯＦＤＭ）（ＤＦＴ−Ｓ−ＯＦＤＭ）波形を送信し得る。
【００３２】
干渉を低減するために、物理アップリンク制御チャネル（ＰＵＣＣＨ）フォーマット３のためのセル固有シンボルレベルサイクリックシフトホッピングが導入されている。ただし、追加の干渉低減が必要とされ得る。一構成では、ユーザ機器（ＵＥ）１０４は、セル固有シンボルレベルサイクリックシフトホッピングに加えて、またはそれの代わりに、セル固有シンボルレベル位相ホッピングを使用し得る。ユーザ機器（ＵＥ）１０４は、物理アップリンク制御チャネル（ＰＵＣＣＨ）フォーマット３モジュール１１０のためのセル間干渉ランダム化を含み得る。物理アップリンク制御チャネル（ＰＵＣＣＨ）フォーマット３モジュール１１０のためのセル間干渉ランダム化は、ユーザ機器（ＵＥ）１０４についてのセル固有シンボルレベル位相ホッピングを実装し得る。物理アップリンク制御チャネル（ＰＵＣＣＨ）フォーマット３モジュール１１０のためのセル間干渉ランダム化は、セル固有シンボルレベル位相ホッピングを実装するために各サブキャリアに適用される直交カバーコード（ＯＣＣ）１１２を調整し得る。
【００３３】
基地局１０２は、物理アップリンク制御チャネル（ＰＵＣＣＨ）フォーマット３受信モジュール１１４を含み得る。物理アップリンク制御チャネル（ＰＵＣＣＨ）フォーマット３受信モジュール１１４は、ユーザ機器（ＵＥ）１０４から物理アップリンク制御チャネル（ＰＵＣＣＨ）フォーマット３ＡＣＫ／ＮＡＣＫを受信するために基地局１０２によって使用され得る。
【００３４】
図２は、ＡＣＫ／ＮＡＣＫを送信するための方法２００のフローチャートである。方法２００はユーザ機器（ＵＥ）１０４によって実行され得る。ユーザ機器（ＵＥ）１０４は、２０２においてＡＣＫ／ＮＡＣＫを生成する。ＡＣＫ／ＮＡＣＫは、２０２において、基地局１０２から受信されたダウンリンク１０８通信に応答して生成され得る。ユーザ機器（ＵＥ）１０４は、２０４において、ＡＣＫ／ＮＡＣＫにチャネルコーディングを適用する。ユーザ機器（ＵＥ）１０４は、次いで、２０６において、チャネルコーディングされたＡＣＫ／ＮＡＣＫにＵＥ／セル固有スクランブルを適用する。
【００３５】
ユーザ機器（ＵＥ）１０４は、２０８において、スクランブルされたＡＣＫ／ＮＡＣＫを変調して、変調シンボルを取得する。本明細書で使用する変調シンボルは、４位相偏移変調（ＱＰＳＫ：quadrature phase shift keying）、１６直交振幅変調（ＱＡＭ：quadrature amplitude modulation）、６４直交振幅変調（ＱＡＭ）など、複素数を指す。対照的に、ＳＣ−ＦＤＭシンボルは、シングルキャリア波形生成の結果を指し得る。ＳＣ−ＦＤＭシンボルは、シンボル持続時間と呼ばれる特定の持続時間内の波形を含むＯＦＤＭ波形である。ユーザ機器（ＵＥ）１０４は、次いで、２１０において、変調シンボルにセル固有シンボルレベルサイクリックシフトホッピングを適用する。セル固有シンボルレベルサイクリックシフトホッピングは、時間領域において実行され、図６に関して以下でさらに詳細に説明する。セル固有シンボルレベルサイクリックシフトホッピングは、変調シンボルがランダムに個別に分散されて見えるように、時間領域においてサイクリックシフトを適用し得る。
【００３６】
ユーザ機器（ＵＥ）１０４は、次いで、２１２において、変調シンボルに離散フーリエ変換（ＤＦＴ）プリコーディングを適用する。離散フーリエ変換（ＤＦＴ）は変調シンボルを周波数領域に変換し得る。ユーザ機器（ＵＥ）１０４は、２１４において、各変調シンボルにセル固有シンボルレベル位相ホッピングと直交カバーコード（ＯＣＣ）１１２とを適用する。セル固有シンボルレベル位相ホッピングは、各ＳＣ−ＦＤＭシンボルに適用される有効直交カバーコード（ＯＣＣ）を調整し得る。ユーザ機器（ＵＥ）１０４は、次いで、２１６において、変調シンボルを介してＡＣＫ／ＮＡＣＫをスロットの一部として送信する。
【００３７】
図３は、セル固有シンボルレベル位相ホッピングを適用するための方法３００のフローチャートである。方法３００はユーザ機器（ＵＥ）１０４によって実行され得る。ユーザ機器（ＵＥ）１０４は、３０２において、サイクリックシフトホッピングシーケンスを取得する。ユーザ機器（ＵＥ）１０４は、次いで、３０４において、セル固有シンボルレベル位相ホッピングのためのθシーケンスを生成する。生成されたθシーケンスは、各ＳＣ−ＦＤＭシンボルに適用される有効直交カバーコード（ＯＣＣ）の一部であり得る。ユーザ機器（ＵＥ）１０４は、次いで、３０６において、θシーケンスをセル固有シンボルレベル位相ホッピングの一部として各ＳＣ−ＦＤＭシンボルに適用する。θシーケンスについては、図８に関して以下でさらに詳細に説明する。
【００３８】
一構成では、θシーケンスは、サイクリックシフトホッピングシーケンスと同様に、ただし異なる初期化を用いて生成され得る。たとえば、初期化ｃinit＝ｆｌｏｏｒ｛ＣｅｌｌＩＤ／３０｝は、θシーケンスのために使用され得る。「フロア関数」は、ある実数と最大の前の整数との対応を指す。したがって、θシーケンスは、サイクリックシフトホッピングシーケンスから、擬似雑音（ＰＮ）シーケンスの異なる初期化を用いて生成され得る。
【００３９】
別の構成では、θシーケンスはサイクリックシフトホッピングシーケンスから生成され得る。分離されたサイクリックシフトホッピングと位相ホッピングとを与えるために、複数の異なるスキームが利用され得る。方形スキームでは、θシーケンスは  
【数５】
0005976671.tif 000006
【００４０】
を使用して生成され得る。線形スキームでは、θシーケンスは
【数６】
0005976671.tif 000007
【００４１】
を使用して生成され得る。遅延スキームでは、θシーケンスは
【数７】
0005976671.tif 000008
【００４２】
を使用して生成され得、δ1およびδ2は整数である。分割スキームでは、θシーケンスは
【数８】
0005976671.tif 000009
【００４３】
を使用して生成され得、Ｇは整数である。一構成では、Ｇは１２であり得る。θシーケンスを生成するために、上記のオプションの組合せも使用され得る。たとえば、θシーケンスを生成するために
【数９】
0005976671.tif 000010
【００４４】
が使用され得る。
【００４５】
図４は、ＡＣＫ／ＮＡＣＫを復号するための方法４００のフローチャートである。方法４００は基地局１０２によって実行され得る。一構成では、基地局１０２はｅノードＢであり得る。基地局１０２は、４０２において、ユーザ機器（ＵＥ）１０４から、セル固有シンボルレベル位相ホッピングを用いた物理アップリンク制御チャネル（ＰＵＣＣＨ）フォーマット３を使用して送信されたＡＣＫ／ＮＡＣＫを受信する。基地局１０２は、４０４において、各ＳＣ−ＦＤＭシンボルに対して、適用された位相ホッピングに従って、対応する逆拡散を実行する。ユーザ機器（ＵＥ）１０４におけるシンボルレベル位相ホッピングはセル固有であり得る。たとえば、サイクリックシフトホッピングシーケンスｎ＿ｃｓ（ｎ＿ｓ，１）は、サービングセルＩＤを用いて初期化され得る。基地局１０２は、拡散シーケンスを知っており、対応する動作を実行する。基地局１０２は、次いで、４０６において、ＡＣＫ／ＮＡＣＫを復号する。
【００４６】
図５は、２つのスロット５２８ａ〜ｂ中の物理アップリンク制御チャネル（ＰＵＣＣＨ）フォーマット３を示すブロック図である。各スロット５２８は、ノーマルサイクリックプレフィックス構成のための、時間的に分離された７つのＳＣ−ＦＤＭシンボル５２７ａ〜ｅ、５２９ａ〜ｂ、５３１ａ〜ｅ、５３３ａ〜ｂを含み得る。各ＳＣ−ＦＤＭシンボル５２７、５２９、５３１、５３３は、周波数において分離された１２個のトーンを含み得る。第１のスロット５２８ａでは、２つのＳＣ−ＦＤＭシンボル５２９ａ〜ｂが、復号目的のために使用される基準信号を含み得、他の５つのＳＣ−ＦＤＭシンボル５２７ａ〜ｅはデータを含む。同様に、第２のスロット５２８ｂでは、２つのＳＣ−ＦＤＭシンボル５３３ａ〜ｂが、復号目的のために使用される基準信号を含み得、他の５つのＳＣ−ＦＤＭシンボル５３１ａ〜ｅはデータを含む。
【００４７】
ＡＣＫ／ＮＡＣＫビット５１６は、第１のスロット５２８ａについての１２個の変調シンボルｄ０〜ｄ１１  ５２０ａと、第２のスロット５２８ｂについての１２個の変調シンボルｄ１２〜ｄ２３  ５２０ｂとを取得するために、チャネルコーディングおよび変調ブロック５１８を通過し得る。第１のスロット５２８ａおよび第２のスロット５２８ｂは、周波数と時間の両方において分離され得る。第１のスロット５２８ａについての１２個の変調シンボルｄ０〜ｄ１１  ５２０ａは、１２ポイント離散フーリエ変換（ＤＦＴ）プリコーディングブロック５２２ａを通過し、次いで、直交カバーコード（ＯＣＣ）ｗ０  ５２４ａ、ｗ１  ５２４ｂ、ｗ２  ５２４ｃ、ｗ３  ５２４ｄおよびｗ４  ５２４ｅを使用して第１のスロット５２８ａの時間領域において拡散され得る。第２のスロット５２８ｂについての１２個の変調シンボルｄ１２〜ｄ２３  ５２０ｂは、１２ポイント離散フーリエ変換（ＤＦＴ）プリコーディングブロック５２２ｂを通過し、次いで、直交カバーコード（ＯＣＣ）ｗ０  ５２６ａ、ｗ１  ５２６ｂ、ｗ２  ５２６ｃ、ｗ３  ５２６ｄおよびｗ４  ５２６ｅを使用して第２のスロット５２８ｂの時間領域において拡散され得る。
【００４８】
事実上、各サブキャリアに異なる直交カバーコード（ＯＣＣ）１１２が適用される。周波数領域において各サブキャリアに適用される有効直交カバーコード（ＯＣＣ）１１２は、セル固有シンボルレベルサイクリックシフトホッピングとセル固有シンボルレベル位相ホッピングとを含み得る。
【００４９】
図６は、セル固有シンボルレベルサイクリックシフトホッピングを用いたスロット６２８を示すブロック図である。スロット６２８は、周波数領域において（すなわち、１２ポイント離散フーリエ変換（ＤＦＴ）が実行された後に）示されている。スロット６２８は、７つのＳＣ−ＦＤＭシンボル６３１ａ〜ｅ、６３３ａ〜ｂを含み得る。ＳＣ−ＦＤＭシンボル６３３ａ〜ｂの２つは基準信号（ＤＭ−ＲＳ）用に指定され得、他の５つのＳＣ−ＦＤＭシンボル６３１ａ〜ｅはデータ用に指定され得る。セル固有シンボルレベルサイクリックシフトホッピングは、データ用に指定されたＳＣ−ＦＤＭシンボル６３１ａ〜ｅに適用され得る。
【００５０】
変調シンボルｄ０〜ｄ１１  ５２０ａは、ｘ［ｎ］として表され得る。式（１）は次のように導出され得る。
【数１０】
0005976671.tif 000011
【００５１】
事実上、サブキャリアの各々に異なる直交カバーコード（ＯＣＣ）６２４ａ〜ｅが適用される。サブキャリアｋに適用される直交カバーコード（ＯＣＣ）６２４ａ〜ｅは、式（２）の直交カバーコードである。
【数１１】
0005976671.tif 000012
【００５２】
式（２）において、ｌはＯＦＤＭシンボルインデックスであり、ｎsはスロットインデックスであり、ｍはデータシンボルインデックスであり、ｎcsはサイクリックシフトである。各データシンボルについて、ｗ（ｍ）は、割り当てられた直交カバーコード（ＯＣＣ）１１２である。
【００５３】
ＲＡＮ１＃６２では、（チャネルコーディング後および変調前の）ＵＥ／セル固有スクランブルがサポートされることが合意された。ＵＥ／セル固有スクランブルは、物理セルＩＤ（ＰＣＩ）と無線ネットワーク一時識別子（ＲＮＴＩ）との関数であり得る。Ｒｅｌ−８の場合、（離散フーリエ変換（ＤＦＴ）の前の）セル固有シンボルレベルサイクリックシフトホッピングもサポートされる。本システムおよび方法において使用される擬似ランダムサイクリックシフトホッピングシーケンスは、Ｒｅｌ−８において使用されるものと同じであり、セルＩＤの関数であり得る。式（３）を使用して、スロットｎs中のサイクリックシフト、シンボルｌが発見される。
【数１２】
0005976671.tif 000013
【００５４】
擬似ランダムシーケンスｃ（ｉ）は、ｃinit＝ＣｅｌｌＩＤを使用して初期化され得る。サイクリックシフトは物理セルＩＤ（ＰＣＩ）の関数であり得る。ＲＡＮ１＃６３では、セル内干渉をさらにランダム化するためにスロットにわたる直交カバーコード（ＯＣＣ）１１２再マッピングが合意された。それは、Ｒｅｌ−８再マッピングがフォーマット３サブフレームに適応されるという実用的な前提である。Ｒｅｌ−８では、直交カバーコード（ＯＣＣ）１１２再マッピングは決定論的である。したがって、直交カバーコード（ＯＣＣ）１１２再マッピングは、同じリソースインデックスについて、異なるセル中で同じである。
【００５５】
図７は、時間領域におけるシンボルレベルサイクリックシフトホッピングを示すブロック図である。５つのデータシンボルｎ0７２７ａ、ｎ1７２７ｂ、ｎ2７２７ｃ、ｎ3７２７ｄ、ｎ4７２７ｅの各々について、時間領域におけるランダムな独立したサイクリックシフトが適用されている。干渉ユーザ機器（ＵＥ）１０４が、サービスされたユーザ機器（ＵＥ）１０４と同じ直交カバーコード（ＯＣＣ）１１２を使用するとき、干渉物の信号をコヒーレントに合成する可能性は高い。３つ以上のサイクリックシフトが同じである確率は６．１１％である。４つ以上のサイクリックシフトが同じである確率は０．２７％である。これらの確率は高すぎることがある（すなわち、それらにより、許容範囲を上回る干渉が生じることがある）。したがって、干渉のコヒーレント合成の可能性を低減するためにセル固有シンボルレベル位相ホッピングが必要とされる。シミュレーション結果は、受信された干渉がユーザ機器（ＵＥ）１０４においてサービングセルの信号と同じ電力であるとき、シンボルレベル位相ホッピングを用いて、０．１％ビット誤り率（ＢＥＲ）が達成され得ることを示す。
【００５６】
図８は、セル固有シンボルレベル位相ホッピングを用いたスロット８２８を示すブロック図である。特に、干渉ユーザ機器（ＵＥ）１０４が同じ直交カバーコード（ＯＣＣ）１１２を割り当てられたとき、セル固有シンボルレベルサイクリックシフトホッピングを用いてスロット８２８に追加のセル固有シンボルレベル位相ホッピングを導入することにより、干渉信号のコヒーレント合成の可能性が減少し得る。セル固有シンボルレベル位相ホッピングは、干渉物の信号のコヒーレント合成の可能性を低減し得る。各スロット８２８は、データを含む５つのＳＣ−ＦＤＭシンボル８３１ａ〜ｅと、基準シンボル（ＤＭ−ＲＳ）用に指定された２つのＳＣ−ＦＤＭシンボル８３３ａ〜ｂとを含み得る。
【００５７】
各データＳＣ−ＦＤＭシンボル８３１ａ〜ｅに適用される直交カバーコード（ＯＣＣ）８２４ａ〜ｅは、
【数１３】
0005976671.tif 000014
【００５８】
によって調整され得、θcellは生成されたθシーケンスであり、Ｑは位相の数である。１２位相偏移変調（ＰＳＫ）位相ホッピングの場合、Ｑ＝１２である。４位相偏移変調（ＱＰＳＫ）位相ホッピングの場合、Ｑ＝４である。２位相偏移変調（ＢＰＳＫ）位相ホッピングの場合、（実際に実装が簡単である）Ｑ＝２である。したがって、スロット８２８中でサブキャリアｋに適用される有効直交カバーコード（ＯＣＣ）８２４は、式（４）で与えられる。
【数１４】
0005976671.tif 000015
【００５９】
セル固有シンボルレベル位相ホッピングはセルＩＤの関数である。セル固有シンボルレベル位相ホッピングは、干渉物の信号のコヒーレント合成の可能性を低減し得る。２位相偏移変調（ＢＰＳＫ）位相ホッピングまたは｛＋１，−１｝バイナリランダム符号反転（binary random sign flipping）で十分であり得る。ネイバーの干渉が強い場合、さらなる性能向上のために、（場合によっては複数の反復を伴う）干渉消去を含む、当該の信号と干渉物の信号とのジョイント検出が実装され得る。
【００６０】
図９に、ユーザ機器（ＵＥ）９０４内に含まれ得るいくつかの構成要素を示す。ユーザ機器（ＵＥ）９０４は、アクセス端末、移動局、ワイヤレス通信デバイスなどであり得る。ユーザ機器（ＵＥ）９０４はプロセッサ９０３を含む。プロセッサ９０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ９０３は中央処理ユニット（ＣＰＵ）と呼ばれることがある。図９のユーザ機器（ＵＥ）９０４中に単一のプロセッサ９０３のみを示しているが、代替構成では、プロセッサの組合せ（たとえば、ＡＲＭとＤＳＰ）が使用され得る。
【００６１】
ユーザ機器（ＵＥ）９０４はメモリ９０５をも含む。メモリ９０５は、電子情報を記憶することが可能な任意の電子構成要素であり得る。メモリ９０５は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、ＥＰＲＯＭメモリ、ＥＥＰＲＯＭメモリ、レジスタなど、およびそれらの組合せとして実施され得る。
【００６２】
データ９０７ａおよび命令９０９ａがメモリ９０５に記憶され得る。命令９０９ａは、本明細書で開示する方法を実装するためにプロセッサ９０３によって実行可能であり得る。命令９０９ａを実行することは、メモリ９０５に記憶されたデータ９０７ａの使用を含み得る。プロセッサ９０３が命令９０９ａを実行すると、命令９０９ｂの様々な部分がプロセッサ９０３上にロードされ得、様々ないくつかのデータ９０７ｂがプロセッサ９０３上にロードされ得る。
【００６３】
ユーザ機器（ＵＥ）９０４はまた、ユーザ機器（ＵＥ）９０４との間での信号の送信および受信を可能にするために、送信機９１１と受信機９１３とを含み得る。送信機９１１と受信機９１３とはトランシーバ９１５と総称されることがある。アンテナ９１７はトランシーバ９１５に電気的に結合され得る。ユーザ機器（ＵＥ）９０４はまた、複数の送信機、複数の受信機、複数のトランシーバおよび／または追加のアンテナ（図示せず）を含み得る。
【００６４】
ユーザ機器（ＵＥ）９０４はデジタル信号プロセッサ（ＤＳＰ）９２１を含み得る。ユーザ機器（ＵＥ）９０４は通信インターフェース９２３をも含み得る。通信インターフェース９２３は、ユーザがユーザ機器（ＵＥ）９０４とインタラクトすることを可能にし得る。
【００６５】
ユーザ機器（ＵＥ）９０４の様々な構成要素は、パワーバス、制御信号バス、ステータス信号バス、データバスなどを含み得る、１つまたは複数のバスによって互いに結合され得る。明快のために、図９では様々なバスはバスシステム９１９として示してある。
【００６６】
図１０に、基地局１００２内に含まれ得るいくつかの構成要素を示す。基地局１００２は、アクセスポイント、ブロードキャスト送信機、ノードＢ、発展型ノードＢなどと呼ばれることもあり、それらの機能の一部または全部を含み得る。基地局１００２はプロセッサ１００３を含む。プロセッサ１００３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１００３は中央処理ユニット（ＣＰＵ）と呼ばれることがある。図１０の基地局１００２中に単一のプロセッサ１００３のみを示しているが、代替構成では、プロセッサの組合せ（たとえば、ＡＲＭとＤＳＰ）が使用され得る。
【００６７】
基地局１００２はメモリ１００５をも含む。メモリ１００５は、電子情報を記憶することが可能な任意の電子構成要素であり得る。メモリ１００５は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、ＥＰＲＯＭメモリ、ＥＥＰＲＯＭメモリ、レジスタなど、およびそれらの組合せとして実施され得る。
【００６８】
データ１００７ａおよび命令１００９ａがメモリ１００５に記憶され得る。命令１００９ａは、本明細書で開示する方法を実装するためにプロセッサ１００３によって実行可能であり得る。命令１００９ａを実行することは、メモリ１００５に記憶されたデータ１００７ａの使用を含み得る。プロセッサ１００３が命令１００９ａを実行すると、命令１００９ｂの様々な部分がプロセッサ１００３上にロードされ得、様々ないくつかのデータ１００７ｂがプロセッサ１００３上にロードされ得る。
【００６９】
基地局１００２はまた、基地局１００２との間での信号の送信および受信を可能にするために、送信機１０１１と受信機１０１３とを含み得る。送信機１０１１と受信機１０１３とはトランシーバ１０１５と総称されることがある。アンテナ１０１７はトランシーバ１０１５に電気的に結合され得る。基地局１００２はまた、複数の送信機、複数の受信機、複数のトランシーバおよび／または追加のアンテナ（図示せず）を含み得る。
【００７０】
基地局１００２はデジタル信号プロセッサ（ＤＳＰ）１０２１を含み得る。基地局１００２は通信インターフェース１０２３をも含み得る。通信インターフェース１０２３は、ユーザが基地局１００２とインタラクトすることを可能にし得る。
【００７１】
基地局１００２の様々な構成要素は、パワーバス、制御信号バス、ステータス信号バス、データバスなどを含み得る、１つまたは複数のバスによって互いに結合され得る。明快のために、図１０では様々なバスはバスシステム１０１９として示してある。
【００７２】
本明細書に記載の技法は、直交多重化スキームに基づく通信システムを含む様々な通信システムに使用され得る。そのような通信システムの例としては、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。一般に、変調シンボルは、ＯＦＤＭでは周波数領域で、ＳＣ−ＦＤＭＡでは時間領域で送られる。
【００７３】
「決定」という用語は、多種多様なアクションを包含し、したがって、「決定」は、計算、算出、処理、導出、調査、探索（たとえば、テーブル、データベースまたは別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選出、確立などを含むことができる。
【００７４】
「に基づいて」という句は、別段に明示されていない限り、「のみに基づいて」を意味しない。言い換えれば、「に基づいて」という句は、「のみに基づいて」と「に少なくとも基づいて」の両方を表す。
【００７５】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【００７６】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００７７】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【００７８】
本明細書で説明する機能は、ハードウェアによって実行されているソフトウェアまたはファームウェアで実装され得る。機能は、１つまたは複数の命令としてコンピュータ可読媒体上に記憶され得る。「コンピュータ可読媒体」または「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用され得、コンピュータによってアクセスされ得る任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【００７９】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲の範囲を逸脱することなく修正され得る。
【００８０】
さらに、図２、図３、および図４によって示されたものなど、本明細書で説明する方法および技法を実行するためのモジュールおよび／または他の適切な手段は、デバイスによってダウンロードされ、および／または他の方法で取得され得ることを諒解されたい。たとえば、デバイスは、本明細書で説明する方法を実行するための手段の転送を可能にするために、サーバに結合され得る。代替的に、本明細書で説明する様々な方法は、記憶手段をデバイスに結合するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。
【００８１】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な改変、変更および変形が行われ得る。
以下に本願発明の当初の特許請求の範囲に記載された発明を付記する。
［Ｃ１］  肯定応答／否定応答を送信するための方法であって、
前記肯定応答／否定応答のデータシングルキャリア周波数分割多重化シンボルにセル固有シンボルレベルサイクリックシフトホッピングを適用することと、
前記データシングルキャリア周波数分割多重化シンボルに離散フーリエ変換を適用することと、
前記肯定応答／否定応答の前記データシングルキャリア周波数分割多重化シンボルにセル固有シンボルレベル位相ホッピングを適用することと、
前記データシングルキャリア周波数分割多重化シンボルをスロット中で送信することと
を備える、方法。
［Ｃ２］  セル固有シンボルレベル位相ホッピングを適用することは、
サイクリックシフトホッピングシーケンスを取得することと、
擬似雑音シーケンスの異なる初期化を用いてθシーケンスを生成することと、
前記θシーケンスを直交カバーコードの一部として各データシングルキャリア周波数分割多重化シンボルに適用することとを備える、Ｃ１に記載の方法。
［Ｃ３］  セル固有シンボルレベル位相ホッピングを適用することは、
サイクリックシフトホッピングシーケンスを取得することと、
前記サイクリックシフトホッピングシーケンスからθシーケンスを生成することと、
前記θシーケンスを直交カバーコードの一部として各データシングルキャリア周波数分割多重化シンボルに適用することとを備える、Ｃ１に記載の方法。
［Ｃ４］  前記サイクリックシフトホッピングシーケンスは、 
【数１５】
0005976671.tif 000016
であり、前記θシーケンスは、 
【数１６】
0005976671.tif 000017
として生成される、Ｃ３に記載の方法。
［Ｃ５］  前記サイクリックシフトホッピングシーケンスは、 
【数１７】
0005976671.tif 000018
であり、前記θシーケンスは、 
【数１８】
0005976671.tif 000019
として生成される、Ｃ３に記載の方法。
［Ｃ６］  前記サイクリックシフトホッピングシーケンスは、  
【数１９】
0005976671.tif 000020
であり、前記θシーケンスは、 
【数２０】
0005976671.tif 000021
として生成され、δ1およびδ2は、整数である、Ｃ３に記載の方法。
［Ｃ７］  前記サイクリックシフトホッピングシーケンスは、 
【数２１】
0005976671.tif 000022
であり、前記θシーケンスは、 
【数２２】
0005976671.tif 000023
として生成され、Ｇが整数である、Ｃ３に記載の方法。
［Ｃ８］  前記θシーケンスは、前記サイクリックシフトホッピングシーケンスの方形スキーム、線形スキーム、遅延スキームおよび分割スキームのうちの少なくとも２つの組合せを使用して生成される、Ｃ３に記載の方法。
［Ｃ９］  前記セル固有シンボルレベル位相ホッピングは、離散フーリエ変換の前にデータシングルキャリア周波数分割多重化シンボルに適用される、Ｃ１に記載の方法。
［Ｃ１０］  前記セル固有シンボルレベル位相ホッピングは、離散フーリエ変換の後にデータシングルキャリア周波数分割多重化シンボルに適用される、Ｃ１に記載の方法。
［Ｃ１１］  サブキャリアに適用される有効直交カバーコードは、 
【数２３】
0005976671.tif 000024
である、Ｃ１に記載の方法。
［Ｃ１２］  Ｑ＝２である、Ｃ１１に記載の方法。
［Ｃ１３］  Ｑ＝４である、Ｃ１１に記載の方法。
［Ｃ１４］  Ｑ＝１２である、Ｃ１１に記載の方法。
［Ｃ１５］  前記セル固有シンボルレベル位相ホッピングは、セルＩＤの関数であり、前記セル固有シンボルレベル位相ホッピングは、干渉物の信号のコヒーレント合成の可能性を低減する、Ｃ１に記載の方法。
［Ｃ１６］  前記データシングルキャリア周波数分割多重化シンボルは、物理アップリンク制御チャネルフォーマット３を使用してスロット中で送信される、Ｃ１に記載の方法。
［Ｃ１７］  肯定応答／否定応答を送信するように構成されたワイヤレスデバイスであって、
プロセッサと、
前記プロセッサと電子通信しているメモリと、
前記メモリに記憶された命令と
を備え、前記命令は、
前記肯定応答／否定応答のデータシングルキャリア周波数分割多重化シンボルにセル固有シンボルレベルサイクリックシフトホッピングを適用することと、
前記データシングルキャリア周波数分割多重化シンボルに離散フーリエ変換を適用することと、
前記肯定応答／否定応答の前記データシングルキャリア周波数分割多重化シンボルにセル固有シンボルレベル位相ホッピングを適用することと、
前記データシングルキャリア周波数分割多重化シンボルをスロット中で送信することと
を行うために前記プロセッサによって実行可能である、ワイヤレスデバイス。
［Ｃ１８］  セル固有シンボルレベル位相ホッピングを適用することは、
サイクリックシフトホッピングシーケンスを取得することと、
擬似雑音シーケンスの異なる初期化を用いてθシーケンスを生成することと、
前記θシーケンスを直交カバーコードの一部として各データシングルキャリア周波数分割多重化シンボルに適用することとを備える、Ｃ１７に記載のワイヤレスデバイス。
［Ｃ１９］  セル固有シンボルレベル位相ホッピングを適用することは、
サイクリックシフトホッピングシーケンスを取得することと、
前記サイクリックシフトホッピングシーケンスからθシーケンスを生成することと、
前記θシーケンスを直交カバーコードの一部として各データシングルキャリア周波数分割多重化シンボルに適用することとを備える、Ｃ１７に記載のワイヤレスデバイス。
［Ｃ２０］  前記サイクリックシフトホッピングシーケンスは、 
【数２４】
0005976671.tif 000025
であり、前記θシーケンスは、 
【数２５】
0005976671.tif 000026
として生成される、Ｃ１９に記載のワイヤレスデバイス。
［Ｃ２１］  前記サイクリックシフトホッピングシーケンスは、 
【数２６】
0005976671.tif 000027
であり、前記θシーケンスは、 
【数２７】
0005976671.tif 000028
として生成される、Ｃ１９に記載のワイヤレスデバイス。
［Ｃ２２］  前記サイクリックシフトホッピングシーケンスは、 
【数２８】
0005976671.tif 000029
であり、前記θシーケンスは、 
【数２９】
0005976671.tif 000030
として生成され、δ1およびδ2が整数である、Ｃ１９に記載のワイヤレスデバイス。
［Ｃ２３］  前記サイクリックシフトホッピングシーケンスは、 
【数３０】
0005976671.tif 000031
であり、前記θシーケンスは、 
【数３１】
0005976671.tif 000032
として生成され、Ｇが整数である、Ｃ１９に記載のワイヤレスデバイス。
［Ｃ２４］  前記θシーケンスは、前記サイクリックシフトホッピングシーケンスの方形スキーム、線形スキーム、遅延スキームおよび分割スキームのうちの少なくとも２つの組合せを使用して生成される、Ｃ１９に記載のワイヤレスデバイス。
［Ｃ２５］  前記セル固有シンボルレベル位相ホッピングが、離散フーリエ変換の前にデータシングルキャリア周波数分割多重化シンボルに適用される、Ｃ１７に記載のワイヤレスデバイス。
［Ｃ２６］  前記セル固有シンボルレベル位相ホッピングが、離散フーリエ変換の後にデータシングルキャリア周波数分割多重化シンボルに適用される、Ｃ１７に記載のワイヤレスデバイス。
［Ｃ２７］  サブキャリアに適用される有効直交カバーコードは 
【数３２】
0005976671.tif 000033
である、Ｃ１７に記載のワイヤレスデバイス。
［Ｃ２８］  Ｑ＝２である、Ｃ２７に記載のワイヤレスデバイス。
［Ｃ２９］  Ｑ＝４である、Ｃ２７に記載のワイヤレスデバイス。
［Ｃ３０］  Ｑ＝１２である、Ｃ２７に記載のワイヤレスデバイス。
［Ｃ３１］  前記セル固有シンボルレベル位相ホッピングは、セルＩＤの関数であり、前記セル固有シンボルレベル位相ホッピングは、干渉物の信号のコヒーレント合成の可能性を低減する、Ｃ１７に記載のワイヤレスデバイス。
［Ｃ３２］  前記データシングルキャリア周波数分割多重化シンボルは、物理アップリンク制御チャネルフォーマット３を使用してスロット中で送信される、Ｃ１７に記載のワイヤレスデバイス。
［Ｃ３３］  ユーザ機器から肯定応答／否定応答を受信するための方法であって、
前記ユーザ機器から、セル固有シンボルレベル位相ホッピングを用いた物理アップリンク制御チャネルフォーマット３である肯定応答／否定応答を受信することと、
各シングルキャリア周波数分割多重化シンボルに対して、適用されたホッピング位相に従って、対応する逆拡散を実行することと、
前記肯定応答／否定応答を復号することと
を備える、方法。
［Ｃ３４］  前記方法は、基地局によって実行される、Ｃ３３に記載の方法。
［Ｃ３５］  サブキャリアに適用される有効直交カバーコードは、 
【数３３】
0005976671.tif 000034
である、Ｃ３４に記載の方法。
［Ｃ３６］  肯定応答／否定応答を受信するように構成されたワイヤレスデバイスであって、
プロセッサと、
前記プロセッサと電子通信しているメモリと、
前記メモリに記憶された命令と
を備え、前記命令は、
ユーザ機器から、セル固有シンボルレベル位相ホッピングを用いた物理アップリンク制御チャネルフォーマット３である肯定応答／否定応答を受信することと、
各シングルキャリア周波数分割多重化シンボルに対して、適用されたホッピング位相に従って、対応する逆拡散を行うことと、
前記肯定応答／否定応答を復号することと
を行うために前記プロセッサによって実行可能である、ワイヤレスデバイス。
［Ｃ３７］  前記ワイヤレスデバイスは、基地局である、Ｃ３６に記載のワイヤレスデバイス。
［Ｃ３８］  サブキャリアに適用される有効直交カバーコードは、 
【数３４】
0005976671.tif 000035
である、Ｃ３６に記載のワイヤレスデバイス。
［Ｃ３９］  肯定応答／否定応答を送信するように構成されたワイヤレスデバイスであって、
前記肯定応答／否定応答のデータシングルキャリア周波数分割多重化シンボルにセル固有シンボルレベルサイクリックシフトホッピングを適用するための手段と、
前記データシングルキャリア周波数分割多重化シンボルに離散フーリエ変換を適用するための手段と、
前記肯定応答／否定応答の前記データシングルキャリア周波数分割多重化シンボルにセル固有シンボルレベル位相ホッピングを適用するための手段と、
前記データシングルキャリア周波数分割多重化シンボルをスロット中で送信するための手段と
を備える、ワイヤレスデバイス。
［Ｃ４０］  肯定応答／否定応答を送信するためのコンピュータプログラム製品であって、前記コンピュータプログラム製品は、命令をその上に有する非一時的コンピュータ可読媒体を備え、前記命令は、
前記肯定応答／否定応答のデータシングルキャリア周波数分割多重化シンボルにセル固有シンボルレベルサイクリックシフトホッピングを適用することをユーザ機器に行わせるためのコードと、
前記データシングルキャリア周波数分割多重化シンボルに離散フーリエ変換を適用することを前記ユーザ機器に行わせるためのコードと、
前記肯定応答／否定応答の前記データシングルキャリア周波数分割多重化シンボルにセル固有シンボルレベル位相ホッピングを適用することを前記ユーザ機器に行わせるためのコードと、
前記データシングルキャリア周波数分割多重化シンボルをスロット中で送信することを前記ユーザ機器に行わせるためのコードと
を備える、コンピュータプログラム製品。
［Ｃ４１］  ユーザ機器から肯定応答／否定応答を受信するように構成されたワイヤレスデバイスであって、
前記ユーザ機器から、セル固有シンボルレベル位相ホッピングを用いた物理アップリンク制御チャネルフォーマット３である肯定応答／否定応答を受信するための手段と、
各シングルキャリア周波数分割多重化シンボルに対して、適用されたホッピング位相に従って、対応する逆拡散を実行するための手段と、
前記肯定応答／否定応答を復号するための手段と
を備える、ワイヤレスデバイス。
［Ｃ４２］  ユーザ機器から肯定応答／否定応答を受信するためのコンピュータプログラム製品であって、前記コンピュータプログラム製品が、命令をその上に有する非一時的コンピュータ可読媒体を備え、前記命令は、
前記ユーザ機器から、セル固有シンボルレベル位相ホッピングを用いた物理アップリンク制御チャネルフォーマット３である肯定応答／否定応答を受信することを基地局に行わせるためのコードと、
各シングルキャリア周波数分割多重化シンボルに対して、適用されたホッピング位相に従って、対応する逆拡散を実行することを前記基地局に行わせるためのコードと、
前記肯定応答／否定応答を復号することを前記基地局に行わせるためのコードと
を備える、コンピュータプログラム製品。
【図１】
0005976671.tif 000046
【図２】
0005976671.tif 000047
【図３】
0005976671.tif 000048
【図４】
0005976671.tif 000049
【図５】
0005976671.tif 000050
【図６】
0005976671.tif 000051
【図７】
0005976671.tif 000052
【図８】
0005976671.tif 000053
【図９】
0005976671.tif 000054
【図１０】
0005976671.tif 000055